(57)【要約】【課題】専用のベースを用いずとも、強固に手摺を固定することができる手摺取付け構造を提供する。【解決手段】支柱３下端のベース５を受ける支持部材３０は、手摺１の長さ方向に直交する方向に少なくともベース５の幅の２倍以上の幅を有して形成される。その幅方向における一方の端部にベース５が固定される見切り部材３１（受け部）を備える。支持部材３０の幅方向における一方の端部側及び他方の端部側は、支持構造物（床スラブ１１、溝形鋼１３）に固定されている。【選択図】図２
2015117479.tif 000002
【特許請求の範囲】
【請求項１】
手摺を支持する支柱と、前記支柱の下端部に連結されるベースと、前記ベースを受ける支持部材とを備え、前記支持部材が支持構造物に固定されることで前記支持構造物上に前記手摺が支持される手摺取付け構造において、
前記支持部材は、前記手摺の長さ方向に直交する方向に少なくとも前記ベースの幅の２倍以上の幅を有して形成されており、その幅方向における一方の端部に前記ベースを受ける受け部を備え、
前記ベースは、前記受け部に固定されており、
前記支持部材の前記一方の端部側及び他方の端部側は、前記支持構造物に固定されていることを特徴とする手摺取付け構造。
【請求項２】
前記支持部材は、前記受け部を形成する見切り部材と、前記見切り部材の下面側に設けられる下地部材とを備え、
前記下地部材は、前記幅方向において前記ベースの幅の２倍以上の幅を有する板状に形成されており、
前記ベースは、前記受け部に締着されており、
前記見切り部材と下地部材とは、接着と締着とのいずれか一方又は両方により固定されるとともに、前記ベースを締着する締着材によっても固定されていることを特徴とする請求項１記載の手摺取付け構造。
【請求項３】
前記下地部材は、板状部材と、前記板状部材の下面に設けられる裏打ち部材とを備え、
前記裏打ち部材は、前記支持部材の前記幅方向における両端部で前記支持構造物にそれぞれ締着され、
前記板状部材と前記裏打ち部材とは、前記支持部材の前記幅方向における両端部及び中央部で支持構造物まで貫入する締着材によって締着されていることを特徴とする請求項２記載の手摺取付け構造。
【請求項４】
前記支持部材及び前記支持構造物には、前記支持構造物から前記支持部材に向けて締着材が打ち込まれていることを特徴とする請求項１〜請求項３のいずれか一項に記載の手摺取付け構造。
【請求項５】
前記裏打ち部材は、合板により板状に形成されており、少なくとも上下の一方の面には、前記手摺の長さ方向に沿って溝が設けられていることを特徴とする請求項３記載の手摺取付け構造。
【発明の詳細な説明】
【技術分野】
【０００１】
本発明は、手摺取付け構造に関し、特に、建物における手摺取付け構造に関する。
【背景技術】
【０００２】
従来、建物の床面に対する手摺の取付け構造が知られている。このような手摺の取付け構造では、支持構造物に対して手摺が強固に固定されることが求められる。例えば特許文献１には、支持構造物に固定されるベースと、このベースに立設される支柱と、支柱に支持される笠木と、ベース及び支柱を接合する接合用雄ねじ部品と、を備える手摺における取付け構造が開示されている。
【０００３】
この手摺の取付け構造では、ベースを支持構造物に固定するための固定用雄ねじ部品が、笠木の長手方向に沿う方向を前後方向としたときに、支柱の左右両側に配置されている。そして、これらの固定用雄ねじ部品は、逆ハ字状となるように傾斜して支持構造物に螺入されている。
【先行技術文献】
【特許文献】
【０００４】
【特許文献１】特開２００７−１２６８８３号公報
【発明の概要】
【発明が解決しようとする課題】
【０００５】
しかしながら、上記した従来の手摺取付け構造では、ベースを支持構造物に固定する際に、固定用雄ねじ部品を傾斜させるための専用のベースが必要であり、施工が困難となる虞がある。また、水平力の作用によりベースと固定用雄ねじ部品との間に過大な力が発生し得るため、これに対する耐力確保のためにベースが大型化する虞がある。
【０００６】
本発明は、専用のベースを用いずとも、強固に手摺を固定することができる手摺取付け構造を提供することを目的とする。
【課題を解決するための手段】
【０００７】
本発明の手摺取付け構造は、手摺を支持する支柱と、支柱の下端部に連結されるベースと、ベースを受ける支持部材とを備え、支持部材が支持構造物に固定されることで支持構造物上に手摺が支持される手摺取付け構造において、支持部材は、手摺の長さ方向に直交する方向に少なくともベースの幅の２倍以上の幅を有して形成されており、その幅方向における一方の端部にベースを受ける受け部を備え、ベースは、受け部に固定されており、支持部材の一方の端部側及び他方の端部側は、支持構造物に固定されていることを特徴とする。
【０００８】
この手摺取付け構造では、支持部材がベース幅の２倍以上の広い幅を有している。そのため、支持部材におけるベースが固定される一方の端部側だけでなく、一方の端部側から離れた位置にある他方の端部側も、支持構造体に固定されていることになる。これにより、支柱は、ベースのみによって支持構造物に固定されている場合に比べて、手摺を幅方向に押し引きした際の支柱に生じるモーメントに対して、より大きな抵抗力を得ることとなる。ここで、「支持構造物」とは、建物における骨格的要素であり、例えば、梁、柱、スラブ、壁等である。
【０００９】
また、支持部材は、受け部を形成する見切り部材と、見切り部材の下面側に設けられる下地部材とを備え、下地部材は、幅方向においてベースの幅の２倍以上の幅を有する板状に形成されており、ベースは、受け部に締着されており、見切り部材と下地部材とは、接着と締着とのいずれか一方又は両方により固定されるとともに、ベースを締着する締着材によっても固定されている構成としてもよい。このように、ベースを受け部に締着させるための締着材が、見切り部材と下地部材との固定にも利用されることで、ベース、見切り部材及び下地部材がより強固に固定されることになる。これにより、支柱下方の剛性が高められ、支柱の上端側のぐらつきがより抑えられる。
【００１０】
また、下地部材は、板状部材と、板状部材の下面に設けられる裏打ち部材とを備え、裏打ち部材は、支持部材の幅方向における両端部で支持構造物にそれぞれ締着され、板状部材と裏打ち部材とは、支持部材の幅方向における両端部及び中央部で支持構造物まで貫入する締着材によって締着されていてもよい。下地部材を、上層を成す板状部材と下層を成す裏打ち部材とによって構成することで、下地部材全体の締着だけでなく裏打ち部材のみの締着も行うことができる。これにより、下地部材が一部材で構成される場合に比べて、より強固に固定されることになる。
【００１１】
また、支持部材及び支持構造物には、支持構造物から支持部材に向けて締着材が打ち込まれていてもよい。このように、支持構造物側から締着材を締着することで、支持部材側からの締着材による押圧力の作用に加えて支持構造物側からの押圧力が加えられることになる。そのため、支持部材と支持構造物との密着性をより高めることができる。また、支持部材の上面側における締着材の露出を抑えることができ、意匠性を向上させることができる。
【００１２】
また、裏打ち部材は、合板により板状に形成されており、少なくとも上下の一方の面には、手摺の長さ方向に沿って溝が設けられていてもよい。合板によって形成される裏打ち部材は、乾燥収縮等によって、僅かな反り等が自然に発生することがある。しかし、上記構成によって、溝の形成位置を中心として裏打ち部材の形状を変化させやすくなっている。そのため、裏打ち部材を支持構造物に締着する際に、裏打ち部材の反り等が吸収されるとともに平坦状態が維持される。これにより、その後の板状部材等の取付けを不陸なく行うことができ、結果として強固な固定状態を構築することができる。
【発明の効果】
【００１３】
本発明によれば、専用のベースを用いずとも、強固に手摺を固定することができる手摺取付け構造を提供することができる。
【図面の簡単な説明】
【００１４】
【図１】本発明の一実施形態に係る手摺取付け構造を示す斜視図である。
【図２】図１の手摺取付け構造を示す断面図である。
【発明を実施するための形態】
【００１５】
以下、本発明に係る実施の形態について図面を参照しながら具体的に説明する。便宜上、実質的に同一の要素には同一の符号を付し、その説明を省略する場合がある。なお、本発明は、建物における手摺の取付け構造に対して広く適用可能であるが、ここでは鉄骨造における吹き抜けに面する床に設けられる手摺に適用した場合の一例について説明する。
【００１６】
図１は、鉄骨造の建物内における吹き抜けＷ部分を示した斜視図である。手摺１は、吹き抜けＷに面する床１０の端部において、転落防止のための安全柵として設けられている。この手摺１は、支柱３によって支持されており、支柱３の下端部にはベース５が連結されている。そして、ベース５は、床１０の吹き抜けＷ側端部に形成された支持部材３０に固定されている。また、図２に示されるように、床１０には、吹き抜けＷの反対側において、床暖房２０が設けられている。床暖房２０は、床スラブ１１の上面側に防湿シート２１、ゴムマット２２、合板２３及び床暖房用パネル２４の順番で載置され、最上面がフローリング材２５となっている。
【００１７】
手摺１は、一方向に延びる棒状部材であり、長さ方向が床１０の吹き抜けＷ側端部に沿うように、床１０の上方に配置される。これにより、手摺１は床１０と吹き抜けＷとの間の仕切りの役割を果たす。手摺１を支持する支柱３は、手摺１の長さ方向に均等な間隔（例えば、１２０ｍｍ）で複数本配置されている。支柱３の上端部が手摺に、支柱３の下端部がベース５にそれぞれ固定されることで、手摺１、支柱３及びベース５が一体的に連結され、柵状をなす。支柱３と手摺１及びベース５との固定は、例えば締結部材や、溶接によるものであり、特にその方法が限定されるものではない。ベース５は、一方向に延びる板状の部材であり、床１０の吹き抜けＷ側端部に沿って、床１０の上面に固定される。なお、手摺１、支柱３及びベース５は、安全柵として機能し得る所定の強度を備えた材料によって構成されるものであり、例えば金属、木材、樹脂等によって構成される。
【００１８】
図１及び図２に示されるように、床１０を支持する梁１２は、手摺１の長さ方向に延在するＨ形鋼によって形成されており、この梁１２の両端は図示しない柱に支持されている。梁１２の吹き抜けＷ側の上部には、溝形鋼１３がボルト等の連結部材１２ａによって固定されている。溝形鋼１３は、開口を吹き抜けＷ側に向けた状態で、梁１２に沿って配置されている。そして、梁１２の吹き抜けＷと反対側には、軽量気泡コンクリート（ＡＬＣ）パネルが架け渡されることで、床スラブ１１が形成される。床スラブ１１と溝形鋼１３とは同じ高さに形成されているため、床スラブ１１と溝形鋼１３との間にモルタルが充填されることで、平坦な上面が形成される。ここで、梁１２、床スラブ１１及び溝形鋼１３は、建物の骨格的要素であり、建物を支える支持構造物である。なお、梁１２及び溝形鋼１３の吹き抜けＷ側の端部には、床面まで延在する化粧板によって壁面１５が形成されている。
【００１９】
支持構造物である床スラブ１１及び溝形鋼１３の上面側には、手摺１を支持するための支持部材３０が固定されている。支持部材３０は、ベース５が固定される受け部を形成する見切り部材３１と、見切り部材３１の下面側に設けられる下地部材３２とを備えている。下地部材３２は、上下の２層によって構成されており、上層の板状部材３３と、板状部材３３の下面に設けられる下層の裏打ち部材３５とを備えている。
【００２０】
裏打ち部材３５は、一方向に延びる板状の部材であり、例えば合板等の木質材料によって形成されている。裏打ち部材３５は、吹き抜けＷ側端部に沿って支持構造物（床スラブ１１、溝形鋼１３）に固定されるものであり、手摺１の長さ方向に対して少なくとも手摺１と略同じ長さ延在する。そして、裏打ち部材３５は、手摺１の長さ方向に直交する方向（以下、「幅方向」とする）に少なくともベース５の幅の２倍以上の幅を有しており、溝形鋼１３と床スラブ１１とに跨って配置される。本実施形態では、裏打ち部材３５の幅（約２５０ｍｍ）がベースの幅（約８０ｍｍ）の約３倍となっている。
【００２１】
また、裏打ち部材３５には、長さ方向に平行な溝３５ａが設けられている。溝３５ａは、裏打ち部材３５の下面の略中央に設けられており、裏打ち部材３５の厚さの約１／２の深さとなっている。溝３５ａの断面形状は略矩形であり、幅は深さより小さく、深さの約１／３となっている。本実施形態では、裏打ち部材の厚さが約２０ｍｍであり、溝の深さ、幅は、それぞれ約１０ｍｍ、約３ｍｍである。
【００２２】
板状部材３３は、裏打ち部材３５と略同じ長さ及び幅をもって形成されており、その厚さは、裏打ち部材３５より小さい約１２ｍｍである。板状部材３３は、裏打ち部材３５同様、例えば合板等の木質材料によって形成されている。このように形成される板状部材３３は、裏打ち部材３５の上面に対して、幅及び長さが裏打ち部材３５と重なるように配置される。
【００２３】
板状部材３３及び裏打ち部材３５によって構成される下地部材３２の上面には、吹き抜けＷ側に見切り部材３１が配置され、吹き抜けＷ側と反対側に床仕上げ材であるフローリング材２５が配置される。見切り部材３１は、下地部材３２と略同じ長さであって約１／２の幅に形成された略板状の部材であり、長さ方向が吹き抜けＷ側端部に沿って配置されることで、床仕上げ材の一部を構成する。見切り部材３１の幅方向における一端側は、フローリング材２５の端部２５ａと嵌合するように凹部３１ａが形成されている。また、見切り部材３１の幅方向における他端側は、その下面に壁面１５と嵌合するための凹部３１ｂが形成されている。そのため、見切り部材３１は、壁面１５よりも吹き抜けＷ側に突出して配置されることになる。このような構成の見切り部材３１の上面には、手摺１の支柱３を支持するベース５が固定される。
【００２４】
支持構造物に対する裏打ち部材３５、板状部材３３、見切り部材３１及びベース５の固定について説明する。
【００２５】
裏打ち部材３５は、少なくとも幅方向における両端部で支持構造物に対して締着材によって固定されている。裏打ち部材３５の幅方向における吹き抜けＷ側の端部側（例えば端部から２０ｍｍの位置）には、上面側から打ち込まれるビス４１が溝形鋼１３まで到達している。また、裏打ち部材３５の幅方向における吹き抜けＷ側と反対側の端部側（例えば端部から５０ｍｍの位置）には、上面側から打ち込まれるビス４２が床スラブ１１まで到達している。さらに、裏打ち部材３５の幅方向略中央には、上面側から打ち込まれるビス４３が床スラブ１１まで到達している。これら、幅方向両端部及び中央におけるビス４１，４２，４３は、長さ方向に例えば１５０ｍｍのピッチで打ち込まれている。
【００２６】
このように、裏打ち部材３５は、幅方向の両端部におけるビス４１及びビス４２によって、支持構造物に締着されることで固定されるものである。そして、裏打ち部材３５は、中央側に打ち込まれるビス４３によって締着されることで、支持構造物に対してより強固に固定される。
【００２７】
木質系材料によって形成される裏打ち部材３５は、乾燥収縮等によって、僅かな反り等が自然に発生することがある。このような反り等に対して何らの措置もとらないと、裏打ち部材３５の上部側に配置される板状部材３３及び見切り部材３１が平坦にならず、仕上がりが悪くなる場合がある。裏打ち部材３５は、長さ方向に形成される溝３５ａの形成位置を中心として撓みやすくなっているため、その形状を変化させやすくなっている。これにより、裏打ち部材３５を支持構造物に締着する際に、裏打ち部材３５の反り等が吸収されるとともに平坦状態が維持される。
【００２８】
板状部材３３は、幅方向の両端部及び中央部で支持構造物に対して締着材によって固定されている。板状部材３３の幅方向における吹き抜けＷ側と反対側の端部側（例えば端部から２０ｍｍの位置）には、上面側から打ち込まれるビス４４が裏打ち部材３５及び床スラブ１１まで到達している。また、板状部材３３の幅方向における中央部には、上面側から打ち込まれるビス４５が裏打ち部材３５及び床スラブ１１まで到達している。さらに、板状部材３３の幅方向における吹き抜けＷ側の端部側には、溝形鋼１３側から打ち込まれるビス４６が裏打ち部材３５、板状部材３３及び見切り部材３１まで到達している。このビス４６は、溝形鋼１３に設けられた図示しない孔から、吹き抜けＷ側と反対側にやや傾斜して上側に打ち込まれるものである。これらのビス４４，４５，４６は、長さ方向に例えば１５０ｍｍのピッチで打ち込まれている。
【００２９】
このように、板状部材３３は、幅方向の両端部及び中央部におけるビス４４，４５，４６によって、裏打ち部材３５に締着されるとともに、支持構造物に締着されるものである。板状部材３３は、上向きに打ち込まれるビス４６によって、支持構造物側からの押圧力が加わり、より強固に固定されるものである。ビス４４，４５，４６は、板状部材３３を支持構造物に固定するとともに、裏打ち部材３５をより強固に支持構造物に固定するものである。
【００３０】
見切り部材３１には、幅方向の吹き抜けＷ側において、上記した溝形鋼１３側から打ち込まれるビス４６が到達している。また、見切り部材３１の凹部３１ａから打ち込まれるビス４７が、板状部材３３及び裏打ち部材３５まで到達している。このビス４７は、吹き抜けＷ側に傾斜して下側に打ち込まれるものである。ビス４７は、長さ方向に例えば１５０ｍｍのピッチで打ち込まれている。さらに、見切り部材３１の下面には、板状部材３３との接触面に対して、例えば水性高分子イソシアネート系の接着剤（図示省略）が塗布されている。このように、見切り部材３１は、ビス４６によって直接的に支持構造物（溝形鋼１３）に固定されるとともに、ビス４７及び接着剤によって板状部材３３に固定されることで、間接的に支持構造物（床スラブ１１、溝形鋼１３）に固定される。
【００３１】
ベース５は、幅方向の両側において支持部材３０まで貫入する一対のビス（木ネジ）４８によって、支持部材３０に固定される。ビス４８の幅方向における間隔は、例えば５０ｍｍであり、支持部材３０の両端部に打ち込まれるビス４４とビス４６（又はビス４１）との間隔の約１／４となっている。ベース５の上面側から打ち込まれるビス４８は、見切り部材３１、板状部材３３及び裏打ち部材３５まで到達している。このビス４８は、長さ方向において、各支柱３の前後に設けられる（図１参照）。すなわち、各支柱３の四隅にビス４８が設けられるものである。このように、ベース５は、ビス４８によって支持部材３０に固定されることで、間接的に支持構造物に固定される。また、このビス４８が、裏打ち部材３５まで到達していることで、見切り部材３１、板状部材３３及び裏打ち部材３５がより強固に固定されるものである。
【００３２】
この手摺取付け構造では、支持部材３０（下地部材３２）がベース５の幅の２倍以上の広い幅を有している。そして、支持部材３０におけるベース５（及びベース５を介して固定される支柱３）が固定される端部側と、この端部側から離れた位置にある反対の端部側とが、支持構造体に固定されていることになる。これにより、支柱３は、ベース５のみによって支持構造物に固定されている場合に比べて、手摺１を幅方向に押し引きした際の支柱３に生じるモーメントに対して、より大きな抵抗力を得ることとなる。
【００３３】
また、ベース５を見切り部材３１に締着させるためのビス４８が、見切り部材３１と下地部材３２との固定にも利用されることで、ベース５、見切り部材３１及び下地部材３２がより強固に固定されることになる。これにより、支柱３の下方における剛性が高められ、支柱３の上端側のぐらつきがより抑えられる。
【００３４】
また、下地部材３２を、上層を成す板状部材３３と下層を成す裏打ち部材３５とによって構成することで、下地部材３２全体の締着だけでなく裏打ち部材３５のみの締着も行うことができる。これにより、下地部材３２が一部材で構成される場合に比べて、より強固に固定されることになる。
【００３５】
また、支持構造物である溝形鋼１３側からビス４６を締着することで、支持部材３０側からのビス４１〜４５による押圧力の作用に加えて支持構造物側からの押圧力が加えられることになる。そのため、支持部材３０と支持構造物との密着性をより高めることができる。また、見切り部材３１側からのビス４７，４８による押圧力の作用に加えて裏打ち部材３５側からの押圧力が加えられることになるため、見切り部材３１、板状部材３３及び裏打ち部材３５の密着性をより高めることができる。また、支持部材３０の上面側におけるビスの露出を抑えることができ、意匠性を向上させることができる。
【００３６】
また、裏打ち部材３５は、溝の形成位置を中心として形状を変化させやすくなっている。そのため、裏打ち部材３５を支持構造物に締着する際に、裏打ち部材に反り等が発生していたとしても、平坦状態が維持される。これにより、上側に配置される板状部材３３等の取付けを不陸なく行うことができ、結果として強固な固定状態を構築することができる。
【００３７】
以上、本発明の実施の形態について図面を参照して詳述したが、具体的な構成はこの実施形態に限られるものではなく、本発明の要旨を逸脱しない範囲で設計変更等を行ってもよい。例えば、支持部材３０（すなわち板状部材３３及び裏打ち部材３５）の幅がベース５の幅の約３倍である例を示したが、これに限定されない。支持部材は、ベースの幅の２倍以上の幅を有していればよい。
【００３８】
また、見切り部材３１と下地部材３２とが、ビス４８の他に、ビス４６、４７及び接着剤によって固定されている例を示したが、これに限定されない。見切り部材３１と下地部材３２とは、ビス４８の他に、接着と締着とのいずれか一方又は両方により固定されていればよい。例えば、接着のみで固定する場合には、ビス４７の打ち込みは必要なく、ビス４６は見切り部材３１まで到達する必要がない。また、締着のみによって固定する場合には、接着剤を使用しなくてよい。
【００３９】
また、下地部材３２が、板状部材３３及び裏打ち部材３５によって構成されている例を示したが、これに限定されない。例えば、床暖房用パネル２４を用いずに床１０を構成する場合には、板状部材３３を使用せず、裏打ち部材３５のみによって下地部材を構成してもよい。
【００４０】
また、断面矩形状を成す溝３５ａが、裏打ち部材３５の下面側の中央に１本のみ形成されている例を示したが、これに限定されない。例えば、裏打ち部材に形成される溝は、中央以外に設けられていてもよい。また、断面が矩形以外の形状であってもよく、例えば楔形であってもよい。また、溝が２本以上であってもよく、上面又は下面のみに形成されても、上下両面に形成されてもよい。
【００４１】
また、溝３５ａは、裏打ち部材３５の長さ方向に平行に設けられる場合に限られず、長さ方向に沿って設けられていればよい。
【００４２】
また、支持構造物に対する支持部材３０等の固定について、ビス４１等が打ち込まれることで締着される例を示したが、これに限定されない。例えば、釘等によって締着（鋲着）してもよく、ビスによる締着と釘等による締着とが混在していてもよい。
【符号の説明】
【００４３】
１…手摺、３…支柱、５…ベース、１０…床、１１…床スラブ（支持構造物）、１２…梁（支持構造物）、１３…溝形鋼（支持構造物）、３０…支持部材、３１…見切り部材（受け部）、３２…下地部材、３３…板状部材、３５…裏打ち部材、３５ａ…溝、４１〜４８…ビス（締着材）、Ｗ…吹き抜け。
【図１】
2015117479.tif 000003
【図２】
2015117479.tif 000004